(57)【要約】      （修正有）【課題】安価で手軽に履物の装飾を追加又は変更するための履物装飾用シールを提供する。【解決手段】履物装飾用シール１は、表面に装飾１ｄが施されたシール基台１ａと、剥離可能な粘着部１ｂと、剥離紙１ｃとを有し、履物の甲被からつま先部分にかけての形状に合わせて型抜きされている。シール基台が伸縮性のある素材で形成され、表面が防水性を有することが好ましい。履物装飾用シールは、粘着部を介してシール基台を装飾しようとする履物に貼付することにより、手軽でかつ安価に履物を装飾することができる。【選択図】図１
0003195718.tif 000002
【実用新案登録請求の範囲】
【請求項１】
履物の表面に貼付することにより前記履物を装飾する履物装飾用シールであって、
表面に装飾が施されたシール基台と、
前記シール基台の裏面に形成された粘着部とからなる履物装飾用シール。
【請求項２】
前記粘着部が、
弾性を有するクッション層と、
履物表面に粘着可能な粘着層とからなることを特徴とする請求項１に記載の履物装飾用シール。
【請求項３】
前記粘着部が、１本又は２本以上のスリットを有することを特徴とする請求項１又は２に記載の履物装飾用シール。
【請求項４】
前記履物の甲被からつま先部分にかけての形状に合わせて型抜きされたことを特徴とする請求項１から３のいずれか記載の履物装飾用シール。
【請求項５】
ハイヒールのかかと部分表面を覆う形状で貼付することが出来るように型抜きされたことを特徴とする請求項１から３のいずれか記載の履物装飾用シール。
【請求項６】
前記履物を装飾したい箇所に合わせて切り離しするためのガイドが設けられていることを特徴とする請求項１から５のいずれか記載の履物装飾用シール。
【請求項７】
前記シール基台が伸縮性のある素材で形成されていることを特徴とする請求項１から６のいずれか記載の履物装飾用シール。
【請求項８】
前記シール基台の表面が防水性を有することを特徴とする請求項１から７のいずれか記載の履物装飾用シール。
【請求項９】
前記シール基台の表面に貼付する装飾用部材を備えたことを特徴とする請求項１から８のいずれか記載の履物装飾用シール。
【請求項１０】
前記シール基台表面に貼付した装飾用部材がシール基台に対して着脱可能とされていることを特徴とする請求項９に記載の履物装飾用シール。
【考案の詳細な説明】
【技術分野】
【０００１】
本考案は、履物表面に貼付し前記履物を装飾するための履物装飾用シールに関する。
【背景技術】
【０００２】
履物の装飾を変更する手段として、従来から下記特許文献１に開示されているような履物本体に装飾部材取り付け用パーツを備え、前記パーツを介して履物の装飾を変更する方法や、特許文献２に開示されているクリップ部材を備えた装飾部材を履物に直接取り付ける方法があった。
【先行技術文献】
【特許文献】
【０００３】
【特許文献１】特開２０１２−１４３５４６号公報
【特許文献２】特表２０１１−５０９７８７号公報
【考案の概要】
【考案が解決しようとする課題】
【０００４】
しかしながら、特許文献１に開示された方法のように、装飾部材取り付け用パーツを介して履物の装飾を追加又は変更する方法では、履物本体に装飾部材取り付け用パーツを別途設ける必要がある。
【０００５】
また、装飾部材取り付け用パーツを備えない履物であっても、特許文献２に開示されたようなクリップ部材を備えた装飾部材を用いれば履物の装飾部の追加又は変更が可能となる。しかしながら、クリップ部材は履物本体を挟持可能な部分に取り付けが限定され、履物のかかと表面の装飾を追加又は変更することができない。さらに、ダンスなどの運動時には、履物本体からクリップ部材を備えた装飾部材が外れる可能性もある。
【０００６】
上述したいずれの手段についても、新たに履物を購入することと比較すれば安価で履物を新調した気分になれるものの、１度使用するだけで使い捨てが出来るほど安価とも言えない。
【０００７】
かかる知見に基づき、本考案においては、安価で手軽に履物の装飾を追加又は変更するための履物装飾用シールの提供を目的とした。
【課題を解決するための手段】
【０００８】
上述した課題を解決すべく提供される本考案は、履物の表面に貼付することにより前記履物を装飾する履物装飾用シールであって、表面に装飾が施されたシール基台と、前記シール基台裏面に形成された粘着部とからなる履物装飾用シールである。
【０００９】
本考案の履物装飾用シールを、履物の表面に貼付することにより、安価に履物の装飾を追加又は変更することが可能となる。
【００１０】
本考案の履物装飾用シールの粘着部は、弾性を有するクッション層と、粘着層からなるものとしてもよい。
【００１１】
上述した構成とすることで、クッション層が、履物装飾用シールの曲げを吸収し、前記履物装飾用シールの履物への貼付時及び貼付後の履物装飾用シールの柔軟性を確保することができる。また、履物装飾用シールを貼付しようとする履物の表面に凹凸が存在する場合に、前記履物の表面とシール基台の間の凹凸を緩和することができる。
【００１２】
また、本考案の履物装飾用シールは、前記粘着部が、１本又は２本以上のスリットを有するものとすることが望ましい。
【００１３】
かかる構成とすることで、本考案の履物装飾用シールの粘着部が、クッション層を備えるものとした場合において、前記スリットがクッション層の厚みを吸収し、履物装飾用シールを貼付しようとする履物の貼付しようとする部分が曲面で構成される場合や凹凸が存在する場合において、履物装飾用シールが皺になりやすい部分の皺を少なくすることが可能となる。なお、履物装飾用シールを履物に貼付しようとする場合において、前記粘着部裏面に剥離紙を設ける場合には、剥離紙の一部を先に剥がして履物装飾用シールの一部を履物に仮貼付する。その結果、前記履物装飾用シールを、ある程度貼付位置を決定してから全ての貼付面を貼付することとなるため、使用者の履物への履物装飾用シールの貼付が容易になる。
【００１４】
上述した本考案の履物装飾用シールは、履物の甲被からつま先部分にかけての形状に合わせて型抜きし、シール片としてもよい。
【００１５】
かかる形状とした場合、本考案の履物装飾用シールを、履物に貼付するだけで手軽に履物を装飾することができる。
【００１６】
履物がハイヒールである場合には、本考案の履物装飾用シールを、ハイヒールのかかと部分表面を覆う形状で貼付することができるように型抜きしたものとしてもよい。
【００１７】
本考案の履物装飾用シールを、上述のような形状とすることにより、ハイヒールのヒール部分についても手軽に装飾の追加又は変更が可能となる。さらに、ハイヒールのヒール部分についての損傷防止や、すでに損傷したヒール部分の傷を隠すことが期待できる。
【００１８】
さらに、本考案の履物装飾用シールは、ブーツの胴部分に貼付することが出来るように型抜きしたものとしてもよい。
【００１９】
本考案の履物装飾用シールを、上述した形状とすることで、ブーツを手軽に装飾することが可能となる。
【００２０】
本考案の履物装飾用シールに、履物を装飾したい箇所に合わせて切り離しするためのガイドが設けられたものであってもよい。
【００２１】
上述のガイドを、本考案の履物装飾用シールに設けることにより、履物のサイズや貼付箇所に合わせて好みのサイズや形状で使用することが容易となる。
【００２２】
本考案の履物装飾用シールは、シール基台が伸縮性のある素材で形成されていてもよい。
【００２３】
かかる構成とすることにより、履物の甲被部分が立体的に形成されている場合であっても、履物装飾用シールを貼付することができる。
【００２４】
本考案の履物装飾用シールのシール基台については、表面が防水性を有するもので形成されていてもよい。
【００２５】
かかる構成のように、本考案の履物装飾用シールのシール基台表面が防水性を有する場合には、本考案による履物装飾用シールが貼付された履物表面部分から履物内部への水のしみ込み防止が期待できる。
【００２６】
本考案の履物装飾用シールについては、シール基台表面に貼付する装飾用部材を備えたものであってもよい。
【００２７】
かかる構成とすれば、さらに個人の好みに合わせて装飾デザインをアレンジすることが可能となる。
【００２８】
また、上述の履物装飾用シールについて、シール基台表面に貼付した装飾用部材を、シール基台に対して着脱可能としてもよい。
【００２９】
かかる構成とすることにより、本考案におけるシール基台はそのままに、例えば使用者のその日の意向に合わせて装飾デザインの追加又は変更を加えることができる。
【考案の効果】
【００３０】
本考案によれば、安価で手軽に履物の装飾を追加又は変更するための履物装飾用シールを提供することができる。
【図面の簡単な説明】
【００３１】
【図１】（ａ）はパンプスの甲被からつま先にかけての形状に合わせたシール片に型抜きされた履物装飾用シールの正面図であり、（ｂ）は履物装飾用シールの断面図である。
【図２】図１（ａ）に示した履物装飾用シールを貼付した正面図及び斜視図である。
【図３】（ａ）は履物装飾用シールの装飾用部材を立体的な形状のものとし、粘着部がクッション層及びスリットを有する履物装飾用シールの斜視図、（ｂ）は前記履物装飾用シールの裏面図である。
【図４】（ａ）は図３（ａ）に示した履物装飾用シールの断面図、（ｂ）は前記履物装飾用シールをパンプスに貼付した場合の断面図である。
【図５】（ａ）はサンダルの甲被部分の形状に合わせて型抜きされた履物装飾用シールであり、（ｂ）は図５（ａ）の履物装飾用シールの断面図である。
【図６】図５（ａ）の履物装飾用シールをサンダル甲被部に貼付した正面図である。
【図７】（ａ）はハイヒールのヒール部分を覆う形状に型抜きされた履物装飾用シール、（ｂ）は図７（ａ）に示した履物装飾用シールの断面図、（ｃ）は図７（ａ）の履物装飾用シールをハイヒールのヒール部分に貼付した側面図である。
【図８】（ａ）はブーツの胴部分に貼付するよう型抜きされた履物装飾用シールの正面図、（ｂ）は図８（ａ）の履物装飾用シールをブーツに貼付した場合の側面図である。
【図９】（ａ）は履物のサイズ別カットガイドを設けた履物装飾用シールであり、（ｂ）はカットガイドを切り込み線とした場合の履物装飾用シールである。
【図１０】シール基台に着脱可能な装飾用シールを、一枚の剥離紙上に構成した履物装飾用シールを示す正面図である。
【考案を実施するための形態】
【００３２】
≪第一実施形態≫
以下、本考案の履物装飾用シールの実施形態について、図面を参照しつつ説明する。図１は本考案の第一実施形態に係る履物装飾用シール１を示したものである。また、図２（ａ）は図１（ａ）の履物装飾用シール１をパンプス１０に貼付して装飾した例を示す正面図、図２（ｂ）はこのパンプス１０の斜視図である。
【００３３】
履物装飾用シール１は、パンプス１０等の履物の表面に貼付することにより履物を装飾するためのものである。具体的には、図１（ａ）及び図２に示すように、履物装飾用シール１は、パンプス１０の履物の甲被１０ａからつま先部分１０ｂに亘る部分の形状に合わせたシール片となるように型抜きされている。
【００３４】
図１（ｂ）に示すように、履物装飾用シール１は、シール基台１ａ、粘着部１ｂ、及び剥離紙１ｃの３層構造とされている。シール基台１ａは、ポリプロピレンやポリエチレン、セロファン、シリコン、あるいはビニール等の樹脂材料や、ゴム、紙等、いかなる素材によって形成されていても良い。シール基台１ａを構成する素材は、用途等を考慮して適宜選択することができる。具体的には、シール基台１ａを構成する素材は、雨水等の付着を考慮して防水性を有する素材によって構成したり、曲げやすさを考慮してゴムやシリコンなどの曲げやすい素材によって構成することが可能である。
【００３５】
シール基台１ａの表面には、模様部１ｄが施されている。模様部１ｄは、シール基台１ａに対して印刷を施したものであってもよいが、シール基台１ａ自体が柄の入ったもので構成されていてもよい。また、模様部１ｄは、別途準備したシールなどによって構成されていても良い。
【００３６】
粘着部１ｂは、シール基台１ａの裏面の略全体に粘着剤を塗布することにより形成されている。粘着部１ｂを介してシール基台１ａを貼付対象物であるパンプス１０（履物）の表面に貼付することにより、通常に使用する程度ではパンプス１０の表面から剥がれ落ちないようにシール基台１ａをくっつけておくことができる。粘着部１ｂを構成する粘着剤は、種々のものとすることができるが、パンプス１０等の履物を構成する素材に対してしっかりとくっつくものであることが望ましい。また、履物装飾用シール１を付け外しできるようにする場合には、パンプス１０等の履物からシール基台１ａを取り外した際に、粘着剤が履物表面に残存しないようなものであることが望ましい。粘着剤が履物に残存する場合であっても、前記粘着剤はベンジン等で拭き取れるものが望ましい。
【００３７】
剥離紙１ｃは、履物装飾用シール１が未使用である状態において粘着部１ｂにホコリやゴミ等が付着しないように保護し、粘着部１ｂの粘着性能を維持するための台紙である。剥離紙１ｃは、粘着部１ｂに接触する面に剥離加工が施されている。
【００３８】
上述した履物装飾用シール１は、図２（ａ），（ｂ）に示すように、パンプス１０の甲被１０ａからつま先部分１０ｂを覆うように貼付して使用される。具体的には、上述したように、履物装飾用シール１は、パンプス１０（履物）の甲被１０ａからつま先部分１０ｂ部分にかけての形状に合わせたシール片に型抜きされている。そのため、履物装飾用シール１を使用する場合には、剥離紙１ｃを剥がし、パンプス１０（履物）の甲被１０ａからつま先部分１０ｂ部分に亘る略全体を覆うように貼り付けることができる。また、上述したように、シール基台１ａの表面には、模様部１ｄが施されている。そのため、履物装飾用シール１を貼付すると、パンプス１０において最も目立つ甲被１０ａからつま先部分１０ｂに亘る領域が模様部１ｄ等によって装飾され見栄えが良くなるとともに、前記シールによってパンプス１０の甲被１０ａからつま先部分１０ｂに亘って保護される。
【００３９】
≪第二実施形態≫
次に、本考案の履物装飾用シールの第二の実施形態について、図面を参照しつつ説明する。図３（ａ）は本考案の第二実施形態に係る履物装飾用シール２の斜視図、図３（ｂ）は履物装飾用シール２の裏面を示したものである。また、図４（ａ）は図３（ａ）の履物装飾用シール２の断面図、図４（ｂ）は履物装飾用シール２をパンプス２０の甲被部分２０ａに貼付して装飾した場合の断面図である。
【００４０】
履物装飾用シール２は、パンプス２０等の履物の表面に貼付することにより履物を装飾するためのものである。図３（ａ）及び図４（ｂ）に示すように、履物装飾用シール２は、パンプス２０の甲被からつま先に亘る部分の形状に合わせたシール片となるように型抜きされている。図４（ａ）に示すように、履物装飾用シール２の粘着部は、クッション層２ｂ１と粘着層２ｂ２、２ｂ３により構成され、さらに２本のスリット２ｅ１及び２ｅ２を備えている。クッション層２ｂ１の表面側に粘着層２ｂ３を介してシール基台２ａが、またシール基台２ａの表面に装飾用部材２ｄ１、２ｄ２、２ｄ３が貼付されている。装飾用部材２ｄ１、２ｄ２、２ｄ３は、履物装飾用シール２の裏面において、スリット２ｅ１、２ｅ２が位置する場所から外れた箇所に位置するよう構成されている。
【００４１】
履物装飾用シール２の装飾用部材２ｄ１、２ｄ２、２ｄ３は、ビーズ部材やガラス部材等の立体的な装飾用部材で構成されている。装飾用部材２ｄ１、２ｄ２、２ｄ３は、ビーズやラインストーン、チャーム等種々のアクセサリーパーツを用いることができる。また、使用者が好みにより選択したアクセサリーパーツを用いることも可能である。さらにシール基台２ａに対して着脱可能としてもよい。
【００４２】
クッション層２ｂ１は、パンプス２０への履物装飾用シール２の貼付時及び貼付後において、履物装飾用シール２の柔軟性を保つために設けている。すなわち、履物装飾用シール２をパンプス２０への貼付時には、弾性を有するクッション層２ｂ１により、履物装飾用シール２を曲げて貼付することができる。また、パンプス２０に履物装飾用シール２を貼付した後、使用者がパンプス２０の着用時など、クッション層２ｂ１がパンプス２０の曲げを吸収する。また、クッション層２ｂ１は、パンプス２０の甲被部分の凹凸を吸収し、履物装飾用シール２をパンプス２０に貼付した場合において、シール基台２ａを平面に近い状態にするために設けている。パンプス２０の甲被部分は曲面となっており、クッション層２ｂ１を備えない粘着部を用いた場合には装飾用部材２ｄ２の接着面が少なくなり、装飾用部材２ｄ２が外れやすくなる。しかし、クッション層２ｂ１がパンプス２０の甲被部分の曲面の凹凸を吸収するため、クッション層２ｂ１を備えない粘着部を用いた場合に比較して、装飾用部材２ｄ２のシール基台２ａに対する接着面積を大きくすることができる。その結果、装飾用部材２ｄ２がシール基台２ａから外れるにくくすることができる。クッション層２ｂ１の素材は、ウレタン、スポンジ、ポリエチレン、ゴム等を用いることができる。クッション層２ｂ１の厚みは、０．５〜３ｍｍ程度が好ましく、０．５〜１ｍｍが最も好ましい。
【００４３】
図３（ｂ）に示したように、履物装飾用シール２は粘着部に２本のスリット２ｅ１、２ｅ２を有している。前記スリット２ｅ１、２ｅ２は、履物装飾用シール２の長手方向に沿うように設けられている。スリット２ｅ１の幅、すなわちクッション層２ｂ１の端部２ｆ１から２ｆ２は、０．５〜３ｍｍ程度が好ましく、０．５〜１．５ｍｍが最も好ましい。また、スリット２ｅ１の幅はクッション層２ｂ１の厚みによって、クッション層２ｂ１の厚みと同等又はそれ以上の幅を設けることが好ましい。図４（ｂ）は履物装飾用シール２をパンプス２０に貼付した場合の、パンプスの甲被部分２０ａの断面図を示している。パンプス２０は、甲被部分から側面にかけて曲面を構成している。履物装飾用シール２をパンプス２０に貼付した場合には、シール基台２ａに対して粘着層２ｂ２がパンプス２０への貼付面の曲面内側に位置するため、粘着層の最も内側である２ｂ２が若干短くなることが好ましい。そこで、スリット２ｅ１、２ｅ２を設けると、履物装飾用シール２をパンプス２０に貼付した場合、履物装飾用シール２のパンプス２０側が若干短くなり、スリット２ｅ１、２ｅ２がクッション層２ｂ１の厚みを吸収し、クッション層２ｂ１及びシール基台２ａが皺になるのを防ぐことができる。また、スリット２ｅ１と２ｅ２の間に設けられた粘着層２ｂ２の裏面に構成されている剥離紙２ｃを最初に剥がし、パンプス２０に履物装飾用シール２を仮止めしてから貼付することで、スリット２ｅ１、２ｅ２を設けない場合と比較して、履物装飾用シール２のパンプス２０への貼付が容易になる。スリット２ｅ１、２ｅ２は履物装飾用シール２を貼付しようとする部分によって、１本又は２本以上設けることができる。パンプス２０の甲被からつま先部分に貼付する履物装飾用シール２では、履物装飾用シール２の長手方向に２本のスリット２ｅ１、２ｅ２を設けた例を示したが、履物装飾用シールを貼付しようとする履物の形状に合わせて、スリットの本数は種々選択することが可能である。
【００４４】
≪第三実施形態≫
次に、本考案の履物飾用シールの第三の実施形態について、図面を参照しつつ説明する。図５（ａ）は本考案の第三実施形態に係る履物装飾用シール３を示したものである。
【００４５】
履物装飾用シール３は、サンダル等つま先部分を構成しない履物を装飾するためのものである。具体的には、図６に示すように、履物装飾用シール３は、つま先部分を構成しないサンダル３０（履物）の甲被部分３０ａを覆う形状に合わせたシール片となるように型抜きされている。かかる形状とすることにより、サンダル３０のつま先部分にシール片がはみ出し、使用者のつま先に履物装飾用シール３の粘着部３ｂが付着することを回避した。
【００４６】
図５（ａ）に示すように、履物装飾用シール３は、略扇型部分３ｆと略円形の模様部３ｄから成る。サンダルの甲被部分３０ａに沿うように貼付するための形状として履物装飾用シール３は略扇型の形状としているが、略長方形の形状としてもよい。第三の実施形態では略円形の模様部３ｄは、サンダル３０の着用時に目立つ部分に位置するように、サンダル３０着用時におけるサンダル３０の略外側に位置するように構成されている。模様部３ｄはサンダル３０着用時にサンダル３０の上面に位置するように履物装飾用シール３の中心部に位置していてもよい。また、模様部３ｄは略丸形の形状としているが、別途準備したシールにより構成されていてもよいし、略扇型部分３ｆ全体に模様が付されたものであってもよい。模様部３ｄの模様については、花柄やハート型等種々選択可能である
【００４７】
上述した履物装飾用シール３は、図６に示すように、サンダル３０の甲被部分３０ａを覆うように貼付して使用される。上述したように、履物装飾用シール３は、サンダル３０（履物）の甲被部分３０ａの形状に合わせたシール片に型抜きされている。そのため、履物装飾用シール３を使用する場合には、剥離紙３ｃを剥がし、サンダル３０（履物）の甲被部分３０ａの略全体を覆うように貼り付けることができる。また、上述したように、シール基台３ａの表面には、略円形の模様部３ｄが施されている。そのため、履物装飾用シール３を貼付すると、サンダル３０において最も目立つ甲被部分３０ａが模様部３ｄ等によって装飾され、見栄えが良くなるとともに、元のサンダル３０と違った印象を与えることができる。
【００４８】
≪第四実施形態≫
図７（ａ）、（ｂ）、（ｃ）において履物がハイヒール等ヒール部分を有するものである場合の履物装飾用シール４の実施例を図面を参照しながら説明する。図７（ａ）は本考案の第四実施形態に係る履物装飾用シール４を示したものである。図７（ｂ）は履物装飾用シール４の断面図、図７（ｃ）は図７（ａ）の履物装飾用シール４をハイヒール４０のヒール４０ａに貼付けて装飾した例を示す側面図である。履物装飾用シール４は、模様部４ｄを有するシール基台４ａ、シール基台４ａ裏面の略全体に粘着剤を塗布することにより形成された粘着部４ｂ及び剥離紙４ｃから構成されている。
【００４９】
一般的に、ハイヒールを有する履物はヒール部分に傷等が付きやすい。ヒール底面部分のゴム素材のリフトについては修理取り替えが可能であるが、ヒール部分側面については目立つ傷が付いた場合、側面表面の取り替えが困難である。履物装飾用シール４をヒール４０ａに貼付することにより、損傷したヒール４０ａを隠し又は損傷前に保護することを可能とした。
【００５０】
履物装飾用シール４を構成するシール基台４ａについては、雨水や泥、土などの汚れ付着を考慮し、防水性及び伸縮性のあるフィルム素材のものが望ましい。例えばポリプロピレンを主原料としたユポ紙、塩化ビニル等であれば、雨水や泥を防ぐとともにヒール４０ａが略円錐状であってもシール基台４ａの伸縮性によりヒール４０ａへの貼付が容易となる。また、上述したシール基台４ａの裏面に構成される粘着部４ｂについては、履物装飾用シール４の使用時に履物装飾用シール４の傷や破れ、さらに汚れなどにより取り替えの必要が生じた場合を考慮し、弱粘性の再剥離可能な粘着部４ｂを用いることが望ましい。かかる構成とすることで、履物装飾用シール４の使用時に履物装飾用シール４が損傷した場合であっても、シールの取り替えが容易となる。
【００５１】
上述した履物装飾用シール４は、ハイヒール４０のヒール４０ａを覆う形状に合わせて略扇型の形状としヒール４０ａへの貼付を可能としているが、ヒールのうち損傷しやすいヒール４０ａの下部を巻き付けるように略長方形の形状又は帯状としてもよい。
【００５２】
上述した履物装飾用シール４の略中央部分には、模様部４ｄが施されている。模様部４ｄはシール基台４ａ全体に施されていてもよい。また、模様部４ｄをヒール部分によく見られる木目状の模様とすることもできる。
【００５３】
上述した履物装飾用シール４は、図７（ｃ）に示すようにハイヒール４０のヒール４０ａに貼付して使用される。具体的には、上述したように、履物装飾用シール４は、ハイヒール４０（履物）のヒール４０ａの形状に合わせた略扇型のシール片に型抜きされている。また、上述したように、履物装飾用シール４のシール基台４ａ表面には、模様部４ｄが施されている。そのため、履物装飾用シール４をヒール４０ａに貼付すると、ハイヒール４０の着用時の後ろ姿において目立つ部分であるヒール４０ａが模様部４ｄによって装飾されるとともに、ヒール４０ａに損傷等があった場合であっても、前記損傷等を隠すことができる。
【００５４】
≪第五実施形態≫
図８において履物がブーツ等胴部分を有するものである場合の履物装飾用シール５の実施例を図面を参照しながら説明する。図８（ａ）は本考案の第五実施形態に係る履物装飾用シール５を示している。また、図８（ｂ）は図８（ａ）の履物装飾用シール５をブーツ５０の胴部５０ａに貼付して装飾した例を示す側面図である。履物装飾用シール５は、略円形のシール基台５ａの表面に、装飾を構成するように型抜きされたシリコンシートから成る装飾用部材５ｄ１を構成している。さらに前記装飾用部材５ｄ１の表面に装飾用部材５ｄ２及び５ｄ３を備えている。５ｄ３はビーズ部材の立体的な装飾用部材としている。
【００５５】
図８（ｂ）において、履物装飾用シール５をブーツ５０の主要部をなす胴部５０ａの側面に貼付した例を示している。履物装飾用シール５は、胴部５０ａのかかと側や正面側等、使用者の好みに応じてブーツ５０を装飾することも可能である。さらには、履物装飾用シール５を、略長方形の形状としてブーツ５０の筒部縁を装飾することも可能である。
【００５６】
履物装飾用シール５をブーツ５０に貼付することにより、ブーツ５０の胴部５０ａにおいて広い範囲を装飾することができる。
【００５７】
≪第六実施形態≫
次に、図９（ａ）においてサイズ別カットガイドを設けた場合の履物装飾用シール６の実施例を図面を参照しながら説明する。図９（ａ）は本考案の第六実施形態に係る履物装飾用シール６を示したものである。履物装飾用シール６は、履物の甲被からつま先部分にかけての形状に型抜きしたシール片としたものであり、サイズ別カットガイド６ｇが施されている。
【００５８】
図９（ａ）において波線で示すように、サイズ別カットガイド６ｇは履物装飾用シール６のシール基台表面に印刷されている。サイズ別カットガイド６ｇは、その他シール基台裏面の粘着部を介して構成されている剥離紙に印刷されていてもよい。さらに、前記サイズ別カットガイドをミシン目として設けてもよい。
【００５９】
サイズ別カットガイド６ｇはシール外縁に沿って２本設けられている。サイズ別カットガイド６ｇは、履物のサイズに合わせて、例えば２２．５ｃｍ用、２３．５ｃｍ用等とすることができる。本実施形態では２本のサイズ別カットガイド６ｇを設けているが、３本又はそれ以上のサイズ別カットガイドを設けてもよい。
【００６０】
前記サイズ別カットガイド６ｇをシール基台又は／及び剥離紙への印刷にて設けた場合は、履物装飾用シール６の使用者が貼付しようとする履物の甲被部分からつま先部分にかけての大きさに合わせてハサミ等でカットする。前記サイズ別カットガイド６ｇをミシン目とした場合は、履物装飾用シール６の使用者がハサミ等を用いることなく、履物装飾用シール６をサイズ別にカットすることが可能となる。
【００６１】
上記サイズ別カットガイド６ｇは、使用者が貼付しようとする履物のサイズに合わせてカットしてもよいが、履物サイズよりも大きめ又は小さめに用いるなど、使用者が適宜大きさを選択することができる。
【００６２】
≪第七実施形態≫
図９（ｂ）において切り込み用カットガイド７ｇを設けた場合の履物装飾用シール７の実施例を図面を参照しながら説明する。図９（ｂ）は本考案の第七実施形態に係る履物装飾用シール７を示したものである。履物装飾用シール７は、履物の甲被からつま先部分にかけての形状に型抜きしたシール片としたものであるが、切り込み用カットガイド７ｇが設けられている。
【００６３】
切り込み用カットガイド７ｇはシール外縁からシール内側中心部に向かって４カ所設けられている。本実施形態では４カ所の切り込み用カットガイド７ｇを設けているが、２カ所又はそれ以上の切り込み用カットガイドを設けてもよい。また、前記切り込み用カットガイド７ｇはシール基台又は剥離紙に印刷されたものでもよいが、ミシン目としてもよい。さらには、あらかじめカット済みのものとしてもよい。
【００６４】
前記履物装飾用シール７を構成するシール基台については、伸縮性のあるフィルム素材、例えばポリプロピレンを主原料としたユポ紙、塩化ビニル等が望ましい。かかる構成とすることで、履物の甲被からつま先部分が立体的に形成されたものに前記履物装飾用シール７を貼付しようとする場合において、前記シールが皺になりにくく比較的容易に貼付が可能となる。
【００６５】
≪第八実施形態≫
図１０においてシール基台本体８ａ及びシール基台本体８ａを装飾するシール基台装飾用シール８ｄを１枚の剥離紙８ｃに構成した場合の履物装飾用シール８の実施例を図面を参照しながら説明する。図１０は本考案の第八実施形態に係る履物装飾用シール８を示したものである。履物装飾用シール８は、剥離紙８ｃにシール基台本体８ａ及びシール基台装飾用シール８ｄ（装飾用部材）が構成されている。また、シール基台本体８ａの裏面には粘着剤が塗布され粘着部を構成している。
【００６６】
前記シール基台本体８ａは履物の甲被からつま先部分の形状に合わせたシール片としている。また、サイズ別カットガイド８ｇが印刷にて施された形態としている。本実施例ではシール基台本体８ａは前記形状のシール片としているが、ハイヒールのヒール部分側面の形状に合わせた略扇型又は略長方形の形状としてもよい。
【００６７】
シール基台装飾用シール８ｄ（装飾用部材）は、シール基台本体８ａよりも小さいシールとされている。シール基台装飾用シール８ｄは各種模様、例えばハート型や丸型、花柄等種々の選択が可能である。キャラクターの絵柄を施したものであってもよい。さらに、シール以外の形態、例えばクリップ等を用いてシール基台本体８ａに対して挟持する部材としてもよいし、面ファスナを用いてシール基台本体８ａに取り付けるものとしてもよい。
【００６８】
上記履物装飾用シール８の剥離紙８ｃについては略長方形の形状としているが、正方形、丸形、楕円形等種々選択が可能である。剥離紙８ｃは、シール基台本体８ａ及びシール基台装飾用シール８ｄが未使用の場合において粘着部にホコリやゴミが付着しないように保護し、粘着部の粘着性能を維持するための台紙である。前記剥離紙８ｃは、シール基台本体８ａへのシール基台装飾用シール８ｄを繰り返し剥離又は貼付する場合において、シール基台装飾用シール８ｄを仮保管するための台紙としての使用を考慮し、折れ曲がりにくい素材、例えばアートポストやボール紙等で構成し、シール基台本体８ａの貼付面に再剥離加工、例えばＰＰ加工やラミネート等の保護膜を設けることが望ましい。
【００６９】
上記履物装飾用シール８は、使用者がシール基台本体８ａへ好みのシール基台装飾用シール８ｄを貼付し、シール基台装飾用シール８ｄを貼付したシール基台本体８ａを履物に貼付することにより使用する。種々のシール基台装飾用シール８ｄを使用者の選択によることで、使用者の好みに合わせた履物の装飾が可能となる。さらにシール基台装飾用シール８ｄについて、シール基台本体８ａへの複数回の貼付及び再剥離を可能とすることで、履物装飾用シール８の使用者が使用する日の好みによりシール基台装飾用シール８ｄを選択し、毎日異なった印象の履物とすることができる。
【産業上の利用可能性】
【００７０】
本考案の履物装飾用シールは、各種の履物用装飾として有効利用することができる。
【符号の説明】
【００７１】
１，２，３，４，５，６，７，８      履物装飾用シール
１ａ，２ａ，３ａ，４ａ，５ａ，８ａ  シール基台（シール基台本体）
１ｂ，３ｂ，４ｂ                    粘着部
２ｂ１                              クッション層（粘着部）
２ｂ２                              粘着層（粘着部）
１ｃ，２ｃ，３ｃ，４ｃ，８ｃ        剥離紙
１ｄ，２ｄ１，２ｄ２，２ｄ３，３ｄ，４ｄ，５ｄ１，５ｄ２，５ｄ３，８ｄ                                              模様部（装飾用部材）
２ｅ１，２ｅ２                      スリット
２ｆ１，２ｆ２                      クッション層端部
３ｆ                                サンダル甲被貼付部
６ｇ，７ｇ，８ｇ                    カットガイド
１０                                パンプス（履物）
１０ａ                              甲被部分
１０ｂ                              つま先部分
２０                                パンプス（履物）
２０ａ                              甲被部分
３０                                サンダル（履物）
３０ａ                              甲被部分
４０                                ハイヒール（履物）
４０ａ                              ヒール部分
５０                                ブーツ（履物）
５０ａ                              胴部
【図１】
0003195718.tif 000003
【図２】
0003195718.tif 000004
【図３】
0003195718.tif 000005
【図４】
0003195718.tif 000006
【図５】
0003195718.tif 000007
【図６】
0003195718.tif 000008
【図７】
0003195718.tif 000009
【図８】
0003195718.tif 000010
【図９】
0003195718.tif 000011
【図１０】
0003195718.tif 000012